(57)【特許請求の範囲】
【請求項１】
前脚、後脚、座部及び凭れ部を具備してなり、凭れ部の取付高さによって椅子全体の前後巾が変化し得るものであり且つ着座により凭れ部が後傾し得ない構造のものであって、
座部の上面側に水平面に対して７〜８°後傾する着座面を設定するとともに、
前記凭れ部を、着座者の腰部前弯部に対応する位置で凭れ部の着座者と接触する凭れ面を形成し、当該凭れ面における下端部側に前傾面を形成して配置するとともに上端部側に後傾面を形成し、前記後傾面と前記前傾面とを腰部前弯部に沿うように一体的に連続させ、且つ肩甲骨に対応する位置が開放されているように構成し、
前記着座面と前記前傾面とによって側面視鋭角をなす着座空間を形成していることを特徴とする椅子。
【請求項２】
前脚が上方に向けて漸次後傾するものであって、凭れ部に該前脚に沿って取り付けられる取付部を形成していることを特徴とする請求項１記載の椅子。
【請求項３】
上方に向けて漸次後傾するように配置した前脚の中間高さ位置に後脚の上端部を前傾姿勢で支持させるとともに、座部をこれら前脚及び後脚に亘って支持させて、前脚の上端部に前記凭れ部を配置し、椅子全体の前後巾の後端を凭れ部の後端によって規定していることを特徴とする請求項１又は２記載の椅子。
【請求項４】
後脚の上端部を前脚に回転可能に支持させるとともに、座部を前脚及び後脚に回転可能に支持させて、これら前脚、後脚及び座部を折り畳み可能にしていることを特徴とする請求項１、２又は３記載の椅子。
【発明の詳細な説明】
【０００１】
【発明の属する技術分野】
本発明は、コンパクトで座り心地の良好な椅子に関するものである。
【０００２】
【従来の技術】
従来より、椅子全体の前後巾が背凭れ部の取付高さによって規定され、前脚の前端又は座部の前端と背凭れ部の後端との間の寸法が椅子の前後巾寸法となるようにした構成の椅子が知られている。このような椅子には、例えば後傾させた前脚と、前脚の中間高さ位置に回転可能に前傾姿勢で支持させた後脚と、前脚及び後脚に対して回転可能に支持させた座部とを具備し、前脚における上端部には背凭れ部を設け、着座者の背中を後方から支持するように構成された折り畳み椅子が考えられている。
【０００３】
【発明が解決しようとする課題】
ところでこのような折り畳み椅子の場合、背凭れ部を強度維持のためにその両端を前脚の上端部に沿うように取り付けることが多い。このようなものであると、傾斜する前脚に対する背凭れ部を高い位置に配置しようとすると必然的に前脚を上方まで延長しなければならず、その延長された前脚の上端部に背凭れ部が取り付けられるため、椅子全体から見て背凭れ部の位置が後方に位置付けられることになる。また、椅子の幅寸法が座又は脚の後端内で収まっている場合もあるが、前脚が傾斜していれば背凭れ部の前脚に対する取付位置を一定以上高く設定することにより椅子全体の幅寸法が変化することになる。したがって、このような折り畳み椅子を例えば体育館のような限られたスペースに多数並べて配置する場合、背凭れ部の前脚に対する取付高さ位置によっては椅子全体の前後巾が比較的大きくなるため、前後方向に並べる椅子の数を増やして収容人数の増加を図ろうとすれば前後の椅子同士の間に形成される通路の巾が狭くなって通りにくい通路になるとともに前席との距離が詰まって圧迫感が感じられ、一方、通路の通り易さと着座時の余裕を優先して通路を広く取ろうとすれば椅子の数及び収容人数を減らさざるを得なくなるという不具合が生じていた。
【０００４】
そこで本発明は、以上のような問題を解消するために、多数の椅子を前後に配置する場合、より多くの椅子を配置することができるとともに通路も広く確保することができ、さらには快適な座り心地も得ることができる椅子を提供するものである。
【０００５】
【課題を解決するための手段】
すなわち、本発明の椅子は、前脚、後脚、座部及び凭れ部を具備してなり、凭れ部の取付高さによって椅子全体の前後巾が変化し得るものであり且つ着座により凭れ部が後傾し得ない構造のものであって、座部の上面側に水平面に対して７〜８°後傾する着座面を設定するとともに、前記凭れ部を、着座者の腰部前弯部に対応する位置で凭れ部の着座者と接触する凭れ面を形成し、当該凭れ面における下端部側に前傾面を形成して配置するとともに上端部側に後傾面を形成し、前記後傾面と前記前傾面とを腰部前弯部に沿うように一体的に連続させ、且つ肩甲骨に対応する位置が開放されているように構成し、前記着座面と前記前傾面とによって側面視鋭角をなす着座空間を形成していることを特徴とする。
【０００６】
ここで、「凭れ部の取付高さによって椅子全体の前後巾が変化し得る構造を有する」椅子には、凭れ部の取付高さ位置によって常に椅子の前後巾寸法が規定されている構造の椅子が含まれるのはもちろんであるが、凭れ部や座部や脚等の椅子の一部が動作することにより複数の使用状態が得られるような椅子であって、いずれか一の使用状態でも凭れ部の取付高さによって椅子全体の前後巾寸法が規定される可能性がある構造を有する椅子も含まれる。
【０００７】
このような構成のものであれば、椅子全体の前後巾を規定する凭れ部が着座者として標準的な成人の腰を支持する比較的低い位置に配置されることによって、従来の椅子のように着座者の背中を支持する背凭れ部を有する椅子と比較した場合、椅子の前後巾を小さくすることができることになる。そのため、多数の椅子を前後方向に並べて配置すれば、椅子一つあたりが占める前後方向の領域が小さくなるので、同一面積の場所では従来の椅子よりも多くの椅子を配置して収容人数を増やすことができるようになる。一方、従来の椅子と同様のピッチで前後に椅子を並べた場合には、椅子同士の間に形成される通路を広く確保することができるため、通路の通り易さを向上し、着座時の圧迫感を解消することができる。さらに、ちょうど腰の前弯部を支持する位置に凭れ部が配置されていることから、着座者が後方に体を反らすと背筋を伸ばしたリフレッシュ姿勢を容易にとることもできることになる。
【０００８】
特に本願発明は、着座者の腰部前弯部の前方に湾曲した形状に沿って着座者を良好に支持し得るようにするためには、凭れ部の着座者と接触する凭れ面における上端部側に後傾面を形成するとともに、下端部側に前傾面を形成し、後傾面と前傾面とを一体的に連続させていることを特徴としている。
【０００９】
また、着座者が凭れ部に凭れかけた際の安定感をより向上するために、前記後傾面と前傾面とを、着座者の腰部前弯部に対応する位置において連続させることを特徴としている。
【００１０】
さらに、凭れかけたときだけでなく、着座者の臀部の安定した支持も実現するために、座部の上面側に後傾する着座面を設定し、該着座面と前記前傾面とによって楔状をなす着座空間を形成することを特徴としている。
【００１１】
このような椅子において、前脚が上方に向けて漸次後傾するものである場合、前脚に対して凭れ部を簡単な構造で強度も維持しつつ取り付けるためには、凭れ部に該前脚に沿って直接取り付けられる取付部を形成することが望ましい。
【００１２】
また、このような構成の椅子の好ましい具体的態様としては、上方に向けて漸次後傾するように配置した前脚の中間高さ位置に後脚の上端部を前傾姿勢で支持させるとともに、座部をこれら前脚及び後脚に亘って支持させて、前脚の上端部に前記凭れ部を配置し、椅子全体の前後巾の後端を凭れ部の後端によって規定している椅子が挙げられる。
【００１３】
特に体育館等の常に椅子を配置した状態にはなく必要時にのみ配置するような場合、並べた椅子をコンパクトに片付けられるようにするためには、後脚の上端部を前脚に回転可能に支持させるとともに、座部を前脚及び後脚に回転可能に支持させて、これら前脚、後脚及び座部を折り畳み可能にすることが好ましい。
【００１４】
【発明の実施の形態】
以下、本発明の一実施形態を、図面を参照して説明する。
【００１５】
図１に示すこの実施形態の椅子Ａは、前脚１、後脚２、座部３、及び凭れ部４とを備えたいわゆる折り畳み式のものである。
【００１６】
前脚１は、図１及び図２に示すように１本の例えばアルミ製丸パイプ材を折り曲げ成形することによって、上方に向かって漸次後傾する姿勢で配置される左右一対の前傾部１１と、前傾部１１の下端部１１ｂ同士をほぼ水平な姿勢で繋ぐ水平部１２とを形成したものである。水平部１２には左右一対の樹脂製接地部材１３を取り付けて、この椅子Ａを開いて使用状態にした際の安定化を図っている。ここで、本実施形態の前傾部１の長さ寸法を約７２９ｍｍ程度としている。
【００１７】
後脚２も同様に、図１及び図２に示すように１本の例えばアルミ製丸パイプ材を折り曲げ成形することによって、上方に向かって漸次前傾する姿勢で配置される左右一対の後傾部２１と、後傾部２１の下端部２１ｂ同士をほぼ水平な姿勢で繋ぐ水平部２２とを形成したものを主体としている。後傾部２１の上端部２１ａには、１本のロッドを突没可能に挿入しており、そのロッドの上端部を取付具２４を介して前脚１の前傾部１１の中間高さ位置に回転可能に取り付けている。なお、各図面は椅子Ａの使用状態を示したものであるため前記ロッドは図面上に表れないが、椅子Ａを使用状態から折り畳む課程で後傾部２１の上端部２１ａから次第に突出して表出するものである。また、水平部２２には、前脚１と同様に左右一対の樹脂製接地部材２３を取り付けている。
【００１８】
座部３は、図１及び図２に示すように矩形状をなすアルミ丸パイプ材等からなる座フレーム３１に合成樹脂一体成形により形成した概略面板状をなす座板３２を取り付けた構成のもので、座板３２の上面を着座面３Ａとしている。しかして座部３全体を、後端部側が前端部側よりも下になるように傾斜させた姿勢で、座フレーム３１の側部を前脚１と後脚２とにそれぞれ回転可能に取り付けている。ここで、座部３の取付に際しては、座フレーム３１を、前脚１に対しては前傾部１１の中間高さ位置に直接ビス止めし、後脚２に対しては後傾部２１の上端部に設けたブラケット２５にビス止めするようにしている。なお、座部３の後傾角度は、水平面に対して例えば７〜８°程度に設定している。
【００１９】
凭れ部４は、図１及び図２に示すように合成樹脂を一体成形してなる板状の部材であって、前面側を着座者の腰に接触し肩甲骨を開放するように支持する凭れ面４１としている。この凭れ面４１は、中間高さ位置に置いて側面視「く」の字形状をなすように湾曲させており、その上端部側を上方に向けて後へ傾斜させた後傾面４１ａとし、下端部側を下方に向けて後へ傾斜させた前傾面４１ｂとしている。なお、後傾面４１ａの後傾角度及び前傾面４１ｂの前傾角度は、通常の成人における腰椎の前弯形状における上方への後傾角度と下方への前傾角度に対応させて、それぞれ鉛直面に対して例えば約２５°、１０°程度に設定している。また凭れ部４の両側端部には、取付部として下向きに開口する円筒状の貫通孔４２をそれぞれ形成しており、この貫通孔４２に前記前傾部１１の上端部１１ａを挿入して嵌め込むことによって、凭れ部４を前脚１に取り付けている。このようにして凭れ部４を前脚１に取り付けると、凭れ部４と座部３との間には上下方向に所定の大きさを有する空間が形成されるが、その際、前傾面４１ａと着座面３Ａとによって形成される楔状をなす前記空間を着座空間Ｓとしている。
【００２０】
また、この凭れ部４の上端部を後方へ突出するように屈曲しており、その屈曲する部位の後端４ｘが、椅子Ａ全体の後端となるようにしている。なお、この椅子Ａの前端は、前脚１の前端となる部位すなわち前傾部１１の下端部１１ｂ又は水平部１２ないしは接地部材１３によって規定されており、折り畳み椅子Ａの前後巾寸法ｗ１（本実施形態では約４２９ｍｍ）が、前脚１の前端から凭れ部４の後端４ｘまでの水平距離によって決定される。さらに、この椅子Ａの高さ寸法ｈ１（本実施形態では約６８５ｍｍ）は、前脚１及び後脚２の下端から凭れ部４の上端までの垂直距離によって規定されることになる。そして、前脚１の前傾部１１に沿う方向における長さ寸法、すなわち椅子Ａを折り畳んだ際の長手寸法Ｌ１は、本実施形態では約８００ｍｍとなる。
【００２１】
次に、このような構成の椅子Ａを、例えば体育館のような場所において前後方向に多数配置した場合について説明する。なお、本実施形態との比較のために、まず従来より知られている椅子Ｂの構成及び配置例について簡単に説明する。
【００２２】
図５に示す従来の椅子Ｂは、本実施形態の椅子Ａと略同様の構成を有する折り畳み式のものであって、前脚１１０、後脚１２０、座部１３０及び凭れ部１４０を備えている。そして、前脚１１０の前傾部１１１の寸法（約７３７ｍｍ）は、本実施形態における前脚１の前傾部１１の寸法（既述した約７２９ｍｍ）よりも長尺であって、その上端部に凭れ部１４０を取り付けている。この凭れ部１４０は、着座者の背中、具体的には胸椎の後に凸となる後弯部を支持する位置に取り付けられたいわゆる背凭れであり、前述の前傾部１１１の寸法をそれに対応させている。このような椅子Ｂでは、その前後巾寸法ｗ２（約４８５ｍｍ）が前脚１１０の前端から凭れ部１４０の後端までの水平距離に対応し、高さ寸法ｈ２（約７３０ｍｍ）が前脚１１０及び後脚１２０の下端から凭れ部１４０の上端までの垂直距離に対応している。さらに、この椅子Ｂを折り畳んだ際の長手寸法となる前傾部１１１に沿う方向における寸法Ｌ２は、本実施形態の椅子Ａにおける同寸法Ｌ１よりも長く、約８４６ｍｍとなる。そして、図５には、このような椅子Ｂを、前後の椅子Ｂの間に巾寸法ｄ１の通路Ｒに相当する間隔を空けて所定長さＤの領域に配置した場合（図示例では３つ）を示している。
【００２３】
これに対して本実施形態の椅子Ａを、図３に示すように前記長さＤの領域に巾寸法ｄ１の通路Ｒを確保して前後に並べて配置すると、椅子Ａの前後巾寸法ｗ１が従来の椅子Ｂの前後巾寸法ｗ２よりも小さいため、図５に示す状態よりも後側の椅子Ａを前方に詰めて配置することができるため、より多数の椅子Ａを配置することができるようになる。
【００２４】
一方、本実施形態の椅子Ａを、図４に示すように各椅子Ａを図５に示す従来の椅子Ｂと同一数量（３つ）前後に並べて配置すれば、前期と同様に椅子Ａの前後巾寸法ｗ１が従来の椅子Ｂの前後巾寸法ｗ２よりも小さいことから、前後の椅子Ａ同士の間に形成される通路Ｒの巾寸法ｄ２が前記巾寸法ｄ１よりも大きくなるため、通路をＲより広く確保できる上に、着座時の足下空間を広げて余裕のある着座状態が得られることになる。
【００２５】
また、いずれの状態に椅子Ａを配置しても、椅子Ａに着座者Ｍが腰を下ろした場合、図２に想像線で示すように着座者Ｍの臀部Ｍｃは、前記楔状の着座空間Ｓにすっぽりと嵌まり込むことになって、その着座空間Ｓに安定的に保持される。また、着座者Ｍの腰部は、腰椎Ｍｂの前方に凸となる前弯形状に伴って前弯した形状（腰部前弯部Ｍａと称する）となっており、この腰部前弯部Ｍａを凭れ部４の凭れ面４１に密着させるように着座者Ｍが後へ体をあずけると、後傾面４１ａと前傾面４１ｂとが滑らかに連続する部位が腰部湾曲部Ｍａを後方から押す格好となるため、程良い指圧効果も得られることになる。もちろん、着座者Ｍの通常の着座状態においても、凭れ面４１の形状は腰部前弯部Ｍａの形状に対応しているため、この凭れ部４によって高い安定感で着座者Ｍを支持することができる。
【００２６】
以上のように、着座者Ｍの腰部前弯部Ｍａを支持し肩甲骨に対応する位置を開放するように配置した凭れ部４の取付高さによって椅子Ａ全体の前後巾寸法ｗ１が変化するような構造を有する本実施形態の椅子Ａによれば、椅子Ａ全体の前後巾寸法ｗ１を従来の椅子Ｂと比較して小さくコンパクトにすることができるため、複数の椅子Ａを前後方向に並べて配置すると、同じ長さＤの領域に従来の椅子Ｂの場合と同一の巾寸法ｄ１の通路Ｒを確保しつつより多数の椅子Ａを配置して収容人数を増やすことができ、一方、従来の椅子Ｂの場合と同じ数の椅子Ａを前後に並べて配置すると、より広い幅寸法ｄ２の通路Ｒを確保してその通路Ｒの通り易さを向上しつつ着座時の圧迫感を解消することが可能である。さらに、凭れ部４は腰部前弯部Ｍａを支持することから、着座者Ｍが体を反らすと背筋を伸ばしたリフレッシュ姿勢を容易にとることができる。
【００２７】
特に、凭れ部４に形成した取付部たる貫通孔４２を後傾させた前脚１に沿って直接取り付けるようにしているため、簡単な構造で凭れ部４を前脚１に取り付けることができ、その結果凭れ部４に掛かる荷重を受ける強度も容易に確保することができる。
【００２８】
また、本実施形態の椅子Ａは、前脚１、後脚２及び座部３を回転させて折り畳むことができる折り畳み椅子であるので、上述の配置例のように必要時にのみ椅子Ａ配置するような体育館等の施設で使用すれば、並べた椅子Ａをコンパクトに片付けて収納時の省スペース化を図ることができる。そして、凭れ部４によって着座者Ｍの要部前弯部Ｍａに沿うように配置して肩甲骨に対応する位置を開放するために前脚１の前傾部１１の長さ寸法を、従来の椅子Ｂの背凭れ部１４０のように着座者の肩甲骨から肩付近までを支持するように前傾部１１１の長さ寸法よりも短く設定し、さらに折り畳んだ際の長手寸法Ｌ１を従来の椅子Ｂの同寸法Ｌ２よりも短くなるようにしているので、椅子Ａを折り畳むと従来の椅子Ｂよりもコンパクトになり、収納スペースの削減にも大いに寄与することになる。
【００２９】
さらに、この椅子Ａは、前脚１とそれに支持された後脚２とに亘って座部３を支持させて、前脚１の上端部１１ａに配置した凭れ部４の後端４ｘが椅子Ａ全体の前後巾の後端となるようにしたものである。そして、凭れ部４の前面側に設定した凭れ面４１の上端部側を後傾面４１ａとし、下端部側を前傾面４１ｂとして、これら後傾面４１ａと前傾面４１ｂとを一体的に連続させているため、背凭れ面４１の全体形状を、腰椎４ｂの前弯形状に伴った着座者Ｍの腰部前弯部４ａの形状に対応させることができ、着座者Ｍの腰の支持を有効なものとすることができる。さらに、後傾面４１ａと前傾面４１ｂとが連続する部位を、着座者Ｍの腰椎前弯部Ｍａに対応する位置に形成しているので、その連続する部位によって腰椎前弯部４ａを後から押して快適な指圧効果を得ることができる。また、後傾面４１ａと前傾面４１ｂとの連続部位を境にして、後傾面４１ａでは着座者Ｍの腰４ａから背中にかけての範囲を支持し、前傾面４１ｂでは腰４ａから臀部Ｍｃにかけての範囲をそれぞれ適切な角度で支持することができるので、凭れ部４に凭れたときの安定性の向上も図ることができる。
【００３０】
さらに、座部３の後傾する着座面３Ａと凭れ部４の前傾面４１ａとによって形成される楔状の着座空間Ｓには、着座者Ｍの臀部Ｍｃを嵌まり込ませて着座時の安定性をより向上することができる。
【００３１】
なお、本発明は上記実施形態のものに限られず、前後の脚、座部、凭れ部の形状や素材などを本発明の趣旨を逸脱しない範囲で種々変更することができる。特に折り畳み椅子全体の後端が凭れ部の上端部における後端と一致していなくても、凭れ部のいずれかの箇所がその凭れ部の後端となっていれば、その位置が椅子全体の後端に規定されることになる。
【００３２】
また、凭れ部の傾斜角度が変更可能な椅子である場合、その傾斜角度のうちの一態様において当該凭れ部の後端が椅子全体の前後巾の後端と一致するように構成することもできる。さらに、折り畳み椅子においては、前脚と後脚との開脚角度を変化させて使用可能なものである場合であっても、その開脚角度のうちの一態様において当該凭れ部の後端が椅子全体の前後巾の後端と一致するように構成してもよい。すなわち、本発明は、上記実施形態の椅子のように凭れ部の後端が常に椅子全体の前後巾の後端となっている構造に限らず、凭れ部や座部や脚等の椅子の一部が動作することにより複数の使用状態が得られるような椅子が、少なくとも一の使用状態で凭れ部の後端が椅子全体の前後巾の後端になり得る構造を有するように構成するようにすることもできる。
【００３３】
さらに本発明は、折り畳み椅子以外にも種々の椅子に適用できるものである。
【００３４】
【発明の効果】
本発明は、以上説明したような形態で実施され、以下に記載されるような効果を奏する。
【００３５】
すなわち、本発明の椅子によれば、着座者の腰部前弯部に沿って肩甲骨に対応する位置を開放するように配置した凭れ部の取付高さによって椅子全体の前後巾が変化し得る構成を有しているため、着座者の背中を支持する背凭れ部を備えた従来の椅子と比べてより低い位置に凭れ部が配置されることによって全体の前後巾を小さくコンパクトにすることができる。その結果、多数の椅子を前後方向に並べて配置した場合、椅子一つあたりが占める前後方向の領域をより小さくすることができるため、従来の椅子よりも小さい間隔でより多くの椅子を配置して収容人数を増やすことが可能となり、さらに従来の椅子と同じ間隔で前後に椅子を並べると椅子同士の通路を広げて通路の通り易さを向上するとともに着座時の圧迫感を解消することが可能となる。さらに、凭れ部は腰の前弯部を支持する位置に配置されることから、着座者が後方に体を反らすと背筋を伸ばしたリフレッシュ姿勢を容易にとることができ、座り心地の快適さが損なわれることもない。
【００３６】
また、凭れ部に後傾する前脚に対して直接取り付けられるようにした取付部を形成している場合には、極めて簡単な取付構造による凭れ部の取り付けが可能であり、そのために凭れ部に掛かる着座者等の荷重を支持するための強度維持も容易に図ることができる。
【００３７】
具体的に、椅子を、後傾させた前脚の中間高さ位置に後脚の上端部を前傾姿勢で支持させるとともに、これら前脚及び後脚に亘って座部を支持させて、前脚の上端部に配置した凭れ部の後端が椅子全体の前後巾の後端となるように構成すれば、上記の効果を奏し得る簡単な構成の椅子を容易に形成することができる。
【００３８】
さらに、後脚を前脚に回転可能に支持させ、座部を前脚及び後脚に回転可能に支持させて、これら前脚、後脚及び座部を折り畳み可能な折り畳み椅子である場合には、通常は椅子を配置せず必要時にのみ配置するような体育館等の施設で使用すれば、並べた椅子をコンパクトに片付けることができる有用な椅子とすることが可能である。
【００３９】
特に、凭れ部の凭れ面において、その上端部側に後傾面を形成し、下端部側に前傾面を形成して、これら後傾面と前傾面とを一体的に連続させている場合には、背凭れ面の形状が着座者の腰椎前弯部の前方に湾曲した形状に対応することとなり、着座者の腰を有効に支持することができる。この場合、後傾面と前傾面とが連続する部位を、着座者の腰椎前弯部に対応する位置に形成すると、その連続する部位が着座者の腰部前弯部をちょうど前方に押すように当たることになり、その部位を境に後傾面で着座者の腰から背中にかけての範囲を支持し、前傾面で腰から臀部にかけての範囲をそれぞれ適切な姿勢で支持することができ、着座者が凭れ部に凭れかけた際の安定性をさらに向上することが可能である。
【００４０】
さらに、座部の上面側に後傾するように設定した着座面と前記凭れ部の前傾面とによって楔状の着座空間を形成すれば、この着座空間には着座者の臀部を嵌まり込ませることができるため、着座時の安定性をより向上することができる。
【図面の簡単な説明】
【図１】本発明の一実施形態である折り畳み椅子を示す斜視図。
【図２】同実施形態を示す左側面図。
【図３】同実施形態の折り畳み椅子の配置例を説明する側面図。
【図４】同実施形態の折り畳み椅子の他の配置例を説明する側面図。
【図５】同実施形態に対応する従来の折り畳み椅子の配置例を説明する側面図。
【符号の説明】
１…前脚
２…後脚
３…座部
３Ａ…着座面
４…凭れ部
４ｘ…後端
４１…凭れ面
４１ａ…後傾面
４１ｂ…前傾面
４２…取付部（貫通孔）
Ａ…椅子
Ｓ…着座空間
ｗ１…前後巾
【図１】
0003876612.tif 000002
【図２】
0003876612.tif 000003
【図３】
0003876612.tif 000004
【図４】
0003876612.tif 000005
【図５】
0003876612.tif 000006